(57)【要約】【課題】栓部材を回転して開栓する携帯飲料容器において、栓部材や飲み口の大きさを抑制して、小柄な人にも使いやすくする。【解決手段】上端に開口を有する容器本体１２と、容器本体１２の開口に内嵌めされる飲み口部材１３と、飲み口部材１３に対して回転自在に内嵌合されて上動により開栓し下動により閉栓する栓部材１５を備えた携帯飲料容器１１において、飲み口部材における容器本体１２の開口より上に突出する起立壁部３２の径方向の大きさを、容器本体１２の上端縁２５に見合った大きさの外径にする。また、栓部材１５には、飲み口部材１３に嵌り込む本体部５１の上端から連設されて飲み口部材１３の起立壁部３２を覆う外周壁部５２を形成するとともに、周方向の一方にかけて半碗状に凹む凹曲面部５３を形成し、凹曲面部５３には、起立壁部３２の周方向の一部を突出させる平面視円弧状の貫通穴部５４を形成する。【選択図】図４
2019217099.tif 000002
【特許請求の範囲】
【請求項１】
上端に開口を有する容器本体と、前記容器本体の前記開口に内嵌めされる飲み口部材と、前記飲み口部材に対して回転自在に内嵌合されて上動により開栓し下動により閉栓する栓部材を備えた携帯飲料容器であって、
前記飲み口部材に、前記容器本体に固定される固定部と、前記開口より上に突出する起立壁部が形成され、
前記栓部材には、前記飲み口部材の前記固定部に嵌り込む本体部と、前記本体部の上端から連設されて前記飲み口部材の前記起立壁部を覆う外周壁部が形成され、
前記飲み口部材の前記起立壁部に、前記容器本体の上端縁に近接する着座部が形成されるとともに、
前記起立壁部における前記着座部より上の部位が、前記着座部に対応する大きさの外径に形成され、
前記栓部材に、平面視中央部から一方にかけて半碗状に凹む凹曲面部が形成されるとともに、
前記凹曲面部における前記飲み口部材の前記起立壁部に対応する部位に、前記起立壁部の一部を突出させる平面視円弧状の貫通穴部が形成された
携帯飲料容器。
【請求項２】
前記栓部材の前記外周壁部の下端に、閉栓時に前記容器本体の上端部外周の閉鎖段部の上面に直接対向する対向部が形成された
請求項１に記載の携帯飲料容器。
【請求項３】
前記起立壁部の周方向の一部に飲み口部が形成され、
前記飲み口部を前記貫通穴部から露出させる前記開栓の位置と、前記飲み口部を前記外周壁部内に収める前記閉栓の位置とに回転を規制する回転規制手段が、前記飲み口部材と前記栓部材との間に形成された
請求項１または請求項２に記載の携帯飲料容器。
【請求項４】
回転規制手段が、一方のねじ山の周方向の一部に形成された切欠きと、他方のねじ谷に縦に形成されて前記切欠きに対して係脱する突部で構成された
請求項３に記載の携帯飲料容器。
【請求項５】
前記起立壁部が円筒形状である
請求項１から請求項４のうちいずれか一項に記載の携帯飲料容器。
【請求項６】
前記起立壁部の周方向における前記飲み口部以外の部分の外周面に、化粧部材が形成された
請求項５記載の携帯飲料容器。
【発明の詳細な説明】
【技術分野】
【０００１】
この発明は、携帯飲料容器に関し、より詳しくは、蓋を取り外さずとも回転するだけで飲料を飲むことができるような携帯飲料容器に関する。
【背景技術】
【０００２】
蓋の取外しを不要とする携帯飲料容器には、例えば下記特許文献１に開示されたものがある。
【０００３】
この携帯飲料容器は、上端に開口を有する容器本体と、容器本体の開口取り付けられたる飲み口部材（下口部材）と、飲み口部材に対して回転自在に内嵌合されて上動により開栓し下動により閉栓する栓部材（栓体）を備えている。飲み口部材の下部は、容器本体の上端部に被さる内外二重壁構造に形成されており、飲み口部材の上端部における周方向の一部に飲み口が形成されている。飲み口部材を覆う栓部材は、周方向の一部に、斜めに切り落としたような形状の飲み口露出部が形成されており、飲み口露出部に、飲み口部材の飲み口を上方へ突出させる平面視円弧状の飲み口突出孔を有している。
【０００４】
つまり、左方に回転すると飲み口が上方へ突出し、右方に回転させると飲み口が栓部材の中に納まるという構造である。
【０００５】
しかし、飲み口部材の下部が内外二重壁構造であって、飲み口部材の直径が容器本体の開口よりも大きいので、栓体の直径が大きくなる。
【０００６】
このため、手が小さい人にとっては栓体を回転しにくい場合があった。また、栓体の直径が大きいと飲み口の円弧も大きくなるので、飲み口に口をつけて飲む場合に飲料が両側に広がりやすく、他人によっては飲みにくいことがあった。
【先行技術文献】
【特許文献】
【０００７】
【特許文献１】特許第５９７０３３６号公報
【発明の概要】
【発明が解決しようとする課題】
【０００８】
この発明は、栓部材や飲み口の大きさを抑制して、小柄な人にも使いやすくすることを主な目的とする。
【課題を解決するための手段】
【０００９】
そのための手段は、上端に開口を有する容器本体と、前記容器本体の前記開口に内嵌めされる飲み口部材と、前記飲み口部材に対して回転自在に内嵌合されて上動により開栓し下動により閉栓する栓部材を備えた携帯飲料容器であって、前記飲み口部材に、前記容器本体に固定される固定部と、前記開口より上に突出する起立壁部が形成され、前記栓部材には、前記飲み口部材の前記固定部に嵌り込む本体部と、前記本体部の上端から連設されて前記飲み口部材の前記起立壁部を覆う外周壁部が形成され、前記飲み口部材の前記起立壁部に、前記容器本体の上端縁に近接する着座部が形成されるとともに、前記起立壁部における前記着座部より上の部位が、前記着座部に対応する大きさの外径に形成され、前記栓部材に、平面視中央部から一方にかけて半碗状に凹む凹曲面部が形成されるとともに、前記凹曲面部における前記飲み口部材の前記起立壁部に対応する部位に、前記起立壁部の一部を突出させる平面視円弧状の貫通穴部が形成された携帯飲料容器である。
【００１０】
この構成では、容器本体に内嵌めされる固定部より上に突出する起立壁部は、容器本体の上端縁に近接する着座部より上の部位が着座部に対応する大きさの外径であって、飲み口部材の起立壁部と、栓部材における飲み口部材に内嵌合する本体部よりも外周に位置する外周壁部と、凹曲面部の貫通穴部の直径が大きくなるのを抑制する。その一方で、栓部材の半碗状の凹曲面部が、飲み口部材の切り壁部を十分に露出させる。
【発明の効果】
【００１１】
この発明によれば、栓部材の外周壁部の直径が大きくなるのを抑えられるので、手が小さい人でも回転しやすくすることができる。また、飲み口部材の直径が大きくなることも抑制されるので、飲み口に口をつけて飲む場合に飲料が両側に広がることを根本的な形状によって抑えることができる。つまり、口の小さい人でも飲みやすい状態を得られる。しかも、凹曲面部によって飲み口が十分に露出するので、この点からも飲みやすい構造となる。
【図面の簡単な説明】
【００１２】
【図１】携帯飲料容器の斜視図。
【図２】携帯飲料容器の平面図。
【図３】携帯飲料容器の分離状態斜視図。
【図４】図２のＡ−Ａ断面図。
【図５】図２のＢ−Ｂ断面図。
【図６】図２のＣ−Ｃ断面図。
【図７】図２のＤ−Ｄ断面図。
【図８】飲み口部材を上方から見た斜視図。
【図９】飲み口部材を下方から見た斜視図。
【図１０】飲み口部材の平面図。
【図１１】図１０のＥ−Ｅ断面図とＦ−Ｆ断面図。
【図１２】栓部材の一部破断側面図。
【図１３】回転規制手段を示す拡大横断面図。
【図１４】閉栓状態における回転規制手段を示す断面図。
【図１５】開栓状態における回転規制手段を示す断面図。
【発明を実施するための形態】
【００１３】
この発明を実施するための一形態を、以下図面を用いて説明する。
【００１４】
図１に、携帯飲料容器１１の斜視図を示す。この図は、矢印で示した方向に回転することで開栓状態となることを示している。図２は平面図であって、（ａ）の閉栓の状態から（ｂ）の開栓の状態への移行を示している。
【００１５】
この携帯飲料容器１１は、図３に示したように、容器本体１２と、飲み口部材１３と、栓部材１５で構成されていている。容器本体１２は、保温機能を有する金属製二重容器で構成されており、有底円筒状の上端に開口を有している。飲み口部材１３は、容器本体１２の開口に内嵌めされるものである。栓部材１５は、飲み口部材１３に対して回転自在に内嵌合されて上動により開栓し下動により閉栓するものである。
【００１６】
まず、容器本体１２から説明する。容器本体１２の上端部は、平面視円形の短円筒部２１を有し、短円筒部２１より下側の外周には、外周側に張り出す閉鎖段部２２が１段連設されている。一方、短円筒部２１より下側の内周には、飲み口部材１３が螺合する雌ねじ部２３が形成されている。雌ねじ部２３より下方には、内周側に張り出す封止段部２４が連設されている。
【００１７】
つぎに、飲み口部材１３は、合成樹脂製であり、容器本体１２に固定される固定部３１と、容器本体１２に固定したときに容器本体１２の開口部より上に突出する起立壁部３２を有している。図２のＡ−Ａ断面図である図４、Ｂ−Ｂ断面図である図５、Ｃ−Ｃ断面図である図６、Ｄ−Ｄ断面図である図７に示したように、固定部３１から起立壁部３２までは円筒形状である。また、起立壁部３２の高さは全周にわたって同一又は略同一である。
【００１８】
固定部３１の外周面には、容器本体１２の雌ねじ部２３に螺合する雄ねじ部３３が形成されている。雄ねじ部３３は、１条のねじ山３３ａで構成されており、上方からの斜視図である図８や、下方からの斜視図である図９にも示したように、２山〜３山形成されている。具体的には、雄ねじ部３３のねじ山３３ａは、上端３３ｂが、起立壁部３２の周方向の一部の飲み口部３４を有する側に形成され（図８参照）、そこから下方へ、２．５〜２．７周程度形成されている。
【００１９】
固定部３１の下端には、下端面を塞ぐ底板部３５が一体形成されている。底板部３５は、中心点を挟む直径方向の両端部に、貫通穴を有している。一方の貫通穴は飲料を通す流通口３５ａであり、飲み口部３４を有する側に形成されている。流通口３５ａと反対側に位置する他方の貫通穴は通気穴３５ｂである。流通口３５ａは、図９や、平面図である図１０に示したように平面視で四角に近い形状に形成され、通気穴３５ｂは平面視円形に形成されている。
【００２０】
固定部３１の下端部における外周面には、雄ねじ部３３よりも小径の下端段部３６が形成されている。下端段部３６には、環状の封止パッキン３７が保持されており、容器本体１２の封止段部２４との間を封止する構成になっている。
【００２１】
飲み口部材１３における起立壁部３２の下端には、容器本体１２の上端縁２５に近接する着座部３８が形成されている。つまり、起立壁部３２の下端は、固定部３１よりも大径に形成されて外周方向に鍔状に張り出しており、その先端の下面が着座部３８となる。そして、起立壁部３２における着座部３８より上の部位が、着座部３８に対応する大きさの外径に形成されている。換言すれば、起立壁部３２の直径は容器本体１２の上端縁２５から大きく食み出さない大きさ、容器本体１２の上端縁２５の外径に等しいかそれよりも若干大きい大きさに設定されている。
【００２２】
起立壁部３２の周方向の一部、つまり前述した流通口３５ａとの関係で言えば周方向において流通口３５ａに対応する側に、流通口３５ａを通って流れる飲料を集めて導く前述の飲み口部３４が形成されている。飲み口部３４は、図４、図５、図１０に示したように、他の部位よりも外周方向に変位させて適宜幅の溝状に形成されている。飲み口部３４は、直接口を付けて飲む際に唇が触れる窪み部３４ａを外周面に有している（図８参照）。
【００２３】
起立壁部３２の周方向における飲み口部３４以外の部分の外周面には化粧部材３９が形成されている。つまり、化粧部材３９を形成する部位に、横断面Ｃ字状の凹段部４０が形成されており、この凹段部４０に合成樹脂からなる化粧部材３９が一体成形される。化粧部材３９は、飲み口部材１３を構成する部材の等肉化に資するとともに、自然な形状の飲み口部３４を得ることに貢献する。
【００２４】
凹段部４０には、化粧部材３９との一体性を高めるために横断面方向に延設された複数の突条４０ａと、これら突条４０ａの外周側を横断面方向と直交する上下方向に延びる柱状部４０ｂが形成されている。化粧部材３９は、固定部３１や起立壁部３２を形成する合成樹脂とは色などの外観が異なる合成樹脂で構成される。
【００２５】
飲み口部材１３の内周面、具体的には固定部３１に対応する部分の内周面には、栓部材１５を螺合するための雌ねじ部４１が形成されている。図１１の（ａ）に、図１０のＥ−Ｅ断面図を、図１１の（ｂ）に図１０のＦ−Ｆ断面図を示す。
【００２６】
雌ねじ部４１は、周方向全体に連続しない分断された形状の複数のねじ山で構成される。飲み口部３４の幅方向の中心と底板部３５の中心を通る仮想線で境に分割した一方側、つまり飲み口部３４を奥に見て左側のねじ山は３本であり（図１１の（ａ）参照）、他方側、つまり飲み口部３４を奥に見て右側のねじ山は２本であって（図１１の（ｂ）参照）、それぞれ、所定の間隔をあけて上下方向に等間隔に配設されている。
【００２７】
具体的にみると、雌ねじ部４１は、４分の１周ほどの長さの主ねじ山４１ａと、それよりも短い従ねじ山４１ｂを有し、飲み口部３４を奥に見たときの左側内周面のねじ山は、上段に従ねじ山４１ｂを、中段と下段に主ねじ山４１ａを有している。飲み口部３４を奥に見たときの右側内周面のねじ山は、上段に従ねじ山４１ｂを、下段に主ねじ山４１ａを有している。
【００２８】
従ねじ山４１ｂは、図１０にも示したようにも、ねじ山の頂部４２、つまり内周面の形状が略直線状であり、長手方向の中間部に、平面視三角形状の切欠き４３を有している。
【００２９】
主ねじ山４１ａは、ねじ山の頂部４２、つまり内周面の形状が円弧状である。飲み口部３４を奥に見たときの左側内周面の下段の主ねじ山４１ａは、長手方向の中間部にストッパ４４が垂設されている。飲み口部３４を奥に見たときの左側内周面の中段の主ねじ山４１ａは、傾斜方向の上端から下段の主ねじ山４１ａのストッパ４４に対応する部位までの範囲にねじ山の高さを低くする低段部４５を有している。飲み口部３４を奥に見たときの右側内周面の下段の主ねじ山４１ａは、前述のようなストッパ４４や低段部４５のような特別な構成を持たない形状である。
【００３０】
最後に、栓部材１５は、図３に示したように、飲み口部材１３の固定部３１に嵌り込む本体部５１と、本体部５１の上端から連設されて飲み口部材１３の起立壁部３２を覆う外周壁部５２を有している。また栓部材１５の平面視中央部から一方にかけて半碗状に凹む凹曲面部５３が形成されるとともに、凹曲面部５３における飲み口部材１３の起立壁部３２に対応する部位に、起立壁部３２の周方向の一部を突出させる平面視円弧状の貫通穴部５４が形成されている。
【００３１】
本体部５１は、飲み口部材１３の内部に入り込む大きさの円柱形状であり、図４などに示すように、本体部５１の下部を構成する下部材５５と、下部材５５に一体化されて本体部５１の上部を構成する上部材５６で構成されている。本体部５１の内部には断熱材５７が収容されている。
【００３２】
また、本体部５１の下端の外周縁に、本体部５１の外周面よりも後退する小径の保持段部５８が形成されており、保持段部５８には、飲み口部材１３との間で止水を行う栓パッキン５９を保持している。栓パッキン５９は、外周側が開いている断面コ字状である。つまり栓パッキン５９は、保持段部５８の上面に下から接する外周方向に広がる環状の固定片５９ａと、固定片５９ａの内周縁から垂設された環状の固定環５９ｂと、固定環５９ｂの下端から固定片５９ａとの間に適宜の間隔をあけて外周方向に広がる環状のリップ部５９ｃで構成されている。それらのうちのリップ部５９ｃが、飲み口部材１３の封止パッキン３７を保持している下端段部３６の裏側に上から接する構造である。
【００３３】
本体部５１の外周面における栓パッキン５９より上側には、飲み口部材１３の雌ねじ部４１に螺合する雄ねじ部６０が形成されている。雄ねじ部６０は、栓部材１５の側面図である図１２に示したように、１条のねじ山６０ａからなる。図１２の（ａ）は、凹曲面部５３を奥に見たときに左側となる側面図であり、図１２の（ｂ）は、凹曲面部５３を奥に見たときに左側となる側面図である。
【００３４】
つまり、飲み口部３４を貫通穴部５４から露出させる開栓の位置においては、図１２の（ａ）に見られる側面が、前述した飲み口部材１３の雌ねじ部４１のうちの飲み口部３４を奥に見たときの左側内周面のねじ山（図１１の（ａ））に対応する側面となり、図１２の（ｂ）に見られる側面が、飲み口部材１３の雌ねじ部４１のうちの飲み口部３４を奥に見たときの右側内周面のねじ山（図１１の（ｂ））に対応する側面となる。飲み口部３４を外周壁部５２内に収める閉栓の位置においては、図１２の（ａ）に見られる側面が、飲み口部材１３の雌ねじ部４１のうちの飲み口部３４を奥に見たときの右側内周面のねじ山（図１１の（ｂ））に対応する側面となり、図１２の（ｂ）に見られる側面が、飲み口部材１３の雌ねじ部４１のうちの飲み口部３４を奥に見たときの左側内周面のねじ山（図１１の（ａ））に対応する側面となる。
【００３５】
雄ねじ部６０のねじ山６０ａは、凹曲面部５３を奥に見たときの右側外周面（図１２の（ｂ））に上端６０ｂと下端６０ｃが位置するように、２山〜３山形成されている。３山となるのは、ねじ山６０ａの上端６０ｂと下端６０ｃを有する右外周面においてである。なお、ねじ山６０ａの下端６０ｃは、閉栓の状態において雌ねじ部４１のストッパ４４に当たる部分である（図１１の（ａ）参照）。
【００３６】
栓部材１５の雄ねじ部６０のねじ山６０ａのピッチは、飲み口部材１３の雌ねじ部４１のねじ山と共に、栓部材１５の１８０度の回転で栓パッキン５９を、止水位置（閉栓の位置）と、止水を解除して飲料の流出を可能とする位置（開栓の位置）の間を上下動できるように設定されている。
【００３７】
本体部５１の雄ねじ部６０には、開栓の位置と閉栓の位置とに回転を規制する回転規制手段の一部が形成されている。この回転規制手段は、飲み口部材１３と栓部材１５との間に形成され、例えば、一方のねじ山の周方向の一部に形成された切欠きと、他方のねじ谷に縦に形成されて切欠きに対して係脱する突部で構成される。
【００３８】
本体部５１の雄ねじ部６０に形成される回転手段の一部は、前述の突部である。突部６１は、図１２の（ａ）に示したように、凹曲面部５３を奥に見たときの左側外周面の中間位置におけるねじ山６０ａの一番上方に位置する部分から上と、図１２の（ｂ）に示したように、凹曲面部５３を奥に見たときの右側外周面の中間位置におけるねじ山の一番上とその下の部分のねじ谷に形成されている。突部６１の横断面形状は等脚台形である。突部６１の高さは、ねじ山６０ａの高さの半分程度に設定されている。２つの突部６１の高さは同じである。
【００３９】
突部６１の高さに関連して付言すると、飲み口部材１３の雌ねじ部４１における一つの主ねじ山４１ａの低段部４５の高さは、突部６１の進入を許容する高さであり、低段部４５の下方の端部にストッパ部４５ａが形成されることになる。
【００４０】
突部６１が係止する前述の切欠きは、図１０、図１３に示したように、飲み口部材１３の雌ねじ部４１の従ねじ山４１ｂに形成された切欠き４３である。図１３は突部６１が切欠き４３に係止した状態を示している。図１３中、Ｐは回転中心を示している。
【００４１】
栓部材１５の外周壁部５２は、前述した上部材５６で構成されており、本体部５１の上端から外周方向に拡がったのち、飲み口部材１３の起立壁部３２の外周面を覆う位置に円筒状の筒部６２が垂設されている。
【００４２】
栓部材１５の外周壁部５２における筒部６２の下端は、図４に示したように閉栓時に容器本体１２の上端部外周の閉鎖段部２２の上面に直接対向する対向部５２ａである。つまり、図１に示したように、外観上において容器本体１２より上側には、栓部材１５のみが存在することになる。
【００４３】
栓部材１５の上端面は、図１、図４などに示したようにすり鉢状に凹む凹湾状面６３を有している。凹湾状面６３の深さは適宜設定される。栓部材１５に形成される凹曲面部５３は、斜めに切断したような形状よりも碗状にえぐれた形状であり、凹曲面部５３の下端高さは、図４に示したように、飲み口部材１３の化粧部材３９の下端を露出しない高さ、言い換えれば、図５に示したように飲み口部３４を十分な高さ露出にしつつも、飲み口部材１３の起立壁部３２の下端を被覆できる高さに設定されている。
【００４４】
凹曲面部５３に形成される貫通穴部５４の径方向の大きさは、飲み口部材１３の起立壁部３２の厚みに嵌合対応するものであり、貫通穴部５４の周方向の大きさは、飲み口部３４の全体を露出可能にするものである。
【００４５】
以上のように構成された携帯飲料容器１１では、容器本体１２の開口に飲み口部材１３を固定するとともに、飲み口部材１３に栓部材１５を嵌めて使用される。栓部材１５を飲み口部材１３に最後まで螺合した閉栓の状態においては、図１４に示したように、栓部材１５の雄ねじ部６０と飲み口部材１３の雌ねじ部４１が噛み合って、栓パッキン５９で封止する。このときに、栓部材１６の突部６１のうち、凹曲面部５３を奥に見たときの右側外周面の突部６１が、対向する雌ねじ部４１の中段に位置する主ねじ山４１ａのストッパ部４５ａに当接する（図１４の（ａ）参照）。同時に、凹曲面部５３を奥に見たときの左側外周面の突部６１が、対向する雌ねじ部４１の上段の従ねじ山４１ｂの切欠き４３に係止する（図１４の（ｂ）参照）。一方の突部６１が従ねじ山４１ｂの切欠き４３に係合するので、カチッと音を立てた節度ある位置規制ができる。
【００４６】
閉栓の状態にある栓部材１５を、図１、図２に示したように、左方に１８０度回転すると、栓部材１５は上昇し、図１５に示したような状態になる。つまり、栓部材１６の突部６１のうち、凹曲面部５３を奥に見たときの左側外周面の突部６１が、対向する雌ねじ部４１の上段の従ねじ山４１ｂの切欠き４３に係止する（図１５の（ａ）参照）。同時に、凹曲面部５３を奥に見たときの右側外周面の突部６１が、対向する雌ねじ部４１の上段の従ねじ山４１ｂの切欠き４３に係止する（図１５の（ｂ）参照）。双方の突部６１が従ねじ山４１ｂの切欠き４３に係合するので、カチッと音を立てた節度ある、しかも強固な位置規制ができる。
【００４７】
このため、開栓を行うに際して安定した開栓状態が確実に得られるので、開栓と閉栓の区別が認識しやすく、使用しやすい。そのための回転規制手段の構成は、ねじ山に備える切欠き４３とねじ谷に備える突部６１であるので、簡素であって、高機能でありながらも手入れもしやすい構造である。
【００４８】
また、飲み口部材１３の起立壁部３２の径方向の大きさが着座部３８に対応する大きさであるので、栓部材１５の外周壁部５２、具体的には筒部６２の大きさが大きくなるのを抑制できる。このため、手が小さい人でも回転させやすい栓部材１５を得ることができる。
【００４９】
回転しやすいさについて、栓部材１５に備える栓パッキン５９は断面コ字状であるので、良好なシール性を得られるにも関わらず抵抗を小さくすることができるので、この点からも回転させやすいものとなる。また、その形状から洗浄も行いやすい。
【００５０】
飲み口部材１３の起立壁部３２の径方向の大きさが大きくなるのを抑制できるので、飲み口部３４の大きさ、換言すれば円弧の曲率半径を自ずと小さく（曲率を大きく）でき、飲み口部３４に直接口を付けて飲む場合に飲料が両側に広がることを抑えられる。このため、口の小さい人でも飲みやすくい構造となる。
【００５１】
飲料が出る飲み口部３４は、栓部材１５の凹湾状面６３と凹曲面部５３の存在によって、十分な高さ露出するので、飲み口部３４に直接口を付けて飲む場合でも、飲みやすい状態が得られる。
【００５２】
前述のように飲み口部材１３の上部の径方向の大きさを抑制できるので、携帯飲料容器１１の上部の形態をスリムにすることができ、美麗な意匠感を得られる。
【００５３】
特に、飲み口部材１３の外周面に化粧部材３９を備えているので、容器本体１２や栓部材１５の外観と調和をとったり、化粧部材３９でアクセントを付けたりすると、所望の美麗な外観を得られる。
【００５４】
さらに、飲み口部材１３の下端部は外観上表れないので、栓部材１５を回転して開閉操作をすることが容易に認識できる。
【００５５】
以上の構成はこの発明は実施するための一形態の構成であって、この発明は前述の構成のみに限定されるものではなく、その他の構成を採用することもできる。
【００５６】
たとえば、飲み口部材１３の飲み口部３４と反対側の部位は、凹曲面部５３に対応する形状に切り欠いてもよい。閉栓時に貫通穴部５４よりも上に突出する部分をなくすことができる。
【符号の説明】
【００５７】
１１…携帯飲料容器
１２…容器本体
１３…飲み口部材
１５…栓部材
２２…閉鎖段部
３１…固定部
３２…起立壁部
３４…飲み口部
３８…着座部
３９…化粧部材
４１…雌ねじ部
４３…切欠き
５１…本体部
５２…外周壁部
５２ａ…対向部
５３…凹曲面部
５４…貫通穴部
６０…雄ねじ部
６１…突部
【図１】
2019217099.tif 000003
【図２】
2019217099.tif 000004
【図３】
2019217099.tif 000005
【図４】
2019217099.tif 000006
【図５】
2019217099.tif 000007
【図６】
2019217099.tif 000008
【図７】
2019217099.tif 000009
【図８】
2019217099.tif 000010
【図９】
2019217099.tif 000011
【図１０】
2019217099.tif 000012
【図１１】
2019217099.tif 000013
【図１２】
2019217099.tif 000014
【図１３】
2019217099.tif 000015
【図１４】
2019217099.tif 000016
【図１５】
2019217099.tif 000017